(57)【要約】      （修正有）【課題】画面の小さい携帯端末等において、アイコンのルックアンドフィールを改善する。【解決手段】画面上の所定の位置（グリッド）にアイコンを配置する。前記所定の位置（グリッド）ごとに、回転角やアイコンサイズ、オフセットを含む表示属性が予め定義されており、該表示属性に応じてアイコンを表示する。【選択図】図１
2015038762.tif 000002
【特許請求の範囲】
【請求項１】
アイコンがユーザーインターフェースの特定の位置に表示されることを移動通信装置によ
って決定するステップと、
前記特定の位置に関し、前記アイコンの表示が変更されるように定義された表示特性を
前記移動通信装置によって適用するステップと、
前記移動通信装置の表示装置において、前記適用された表示特性を有する前記アイコン
を前記ユーザーインターフェースの前記特定の位置に表示するステップと、を
含む方法。
【発明の詳細な説明】
【技術分野】
【０００１】
本発明は移動通信装置に関し、具体的には、移動通信装置上のユーザーインターフェー
スに関する。
【背景技術】
【０００２】
[0001]移動通信装置（例えば無線電話）は、日常生活に欠くことのできない一部となっ
た。しかしながら、移動通信装置の移動性を促進するために、従来の移動通信装置によっ
て使用されるフォームファクターは典型的に制限されている。例えば、移動通信装置は、
従来のデスクトップコンピューター、例えばＰＣと比較したとき、相対的に限定された大
きさの表示部を有している。別の例において、移動通信装置は、従来のデスクトップコン
ピューターと比較したとき、限定された入力機能（例えばキーボード）を有し得る。それ
故、デスクトップコンピューターと対話するために使用されている従来の技法は、移動通
信装置によって使用されるとき、非効率な場合がある。
【発明の概要】
【発明が解決しようとする課題】
【０００３】
本発明の目的は、ユーザーインターフェースにおける位置を基本とした表示特性を有す
るアイコンを提供することである。
【課題を解決するための手段】
【０００４】
[0002]ユーザーインターフェースにおける位置を基本とする表示特性を説明する。実装
において、アイコンがユーザーインターフェースの特定の位置に表示される決定が、移動
通信装置によって実行される。特定の位置に関し、アイコンの表示が変更されるように定
義された表示特性が、移動通信装置によって適用される。移動通信装置の表示装置におい
て、適用された表示特性を有するアイコンが、ユーザーインターフェースの特定の位置に
表示される。
【０００５】
[0003]実装において、第１及び第２のアイコンがユーザーインターフェースの第１及び
第２の位置に表示される決定が、移動通信装置によって実行される。第１及び第２の位置
に関し、定義された第１及び第２の回転角度それぞれの決定も移動通信装置によって実行
される。第１のアイコンの少なくとも一部が、移動通信装置の表示装置において、第１の
回転角度で表示される。第２のアイコンの少なくとも一部が、移動通信装置の表示装置に
おいて、第２の回転角度で表示される。
【０００６】
[0004]実装において、移動通信装置は、表示装置及び電話機能を提供するように構成さ
れた１つ以上のモジュールを含む。前記１つ以上のモジュールは、表示装置において、不
均等なグリッドに従って配置される複数の位置を有するユーザーインターフェースも表示
するように構成される。それぞれの位置が、その位置に置かれる１つ以上のアイコンそれ
ぞれに適用される定義された表示特性を有していて、第１の位置における第１の前記アイ
コンの表示が、第２の位置において第２のアイコンの表示と重なる。
【０００７】
[0005]この「課題を解決するための手段」は、「発明を実施するための形態」に更に後
述される概念のいくつかを簡易化した形式で紹介するために提供される。この「課題を解
決するための手段」は、請求対象項目の重要な機能も本質的な特徴も特定するように意図
されておらず、請求対象項目の範囲を決定する際の支援として利用されることも意図され
ていない。
【０００８】
[0006]添付の図面を参照し詳細な説明を説明する。図面において参照番号の最上位の桁
は、参照番号が最初に出現する図面を識別している。説明において、異なる例の同一の参
照番号の使用は、同等か又は同一の項目を示し得る。
【図面の簡単な説明】
【０００９】
【図１】[0007]移動通信に関する機器、特性、及びシステムに関する１つ以上の実施形態による移動通信装置の実装例の例示である。
【図２】[0008]図１のユーザーインターフェースを更に詳細に示す複数の位置を有する例示であって、それぞれはアイコン及び／又はコンテンツに適用する定義された複数の表示特性を有している。
【図３】[0009]図２に定義されているような表示特性を使用し、アイコンがユーザーインターフェースにおいてそれぞれの位置に表示されるシステムを示した例示である。
【図４】[0010]ユーザーインターフェースにおいて特定の位置に関し定義された表示特性が少なくともある期間、静的なままであって、アイコンの第１の位置から第２の位置への移動が、異なる表示特性の適用をもたらすシステム例を示した例示である。
【図５】[0011]ユーザーインターフェースおいて、特定の位置に関し定義された表示特性が、その位置に表示されるアイコンに対し、適用される実装例の手順を示した流れ図である。
【図６】[0012]ユーザーインターフェースにおいて、それぞれのアイコンが表示される位置それぞれに関し定義された回転量に基づいて表示特性が適用される実装例の手順を示した流れ図である。
【図７】[0013]移動通信装置、特性、及びシステムの実施形態を実装している任意のタイプの携帯機器の様々な実施形態が実装され得る、様々な機器の例のコンポーネントを示している。
【発明を実施するための形態】
【００１０】
概要
[0014]（例えば、携帯電話、ネットブックなど）移動通信装置によって典型的に使用さ
れる表示装置は、デスクトップ環境と比較したとき、限定された利用可能表示部を有して
いる。故に、従来のデスクトップ環境において、従来、使用されている技法は、移動通信
装置によって使用されるとき、非効率な場合がある。例えば、そのような技法の１つは、
ユーザーインターフェース内部の固定したグリッドに従ったコンテンツの配置及びコンテ
ンツの表現を含む従来のデスクトップ環境に統合化し、特定の時間、ユーザーインターフ
ェースに表示され得る情報量を制限し得る。
【００１１】
[0015]ユーザーインターフェースにおける位置を基本とする表示特性を説明する。１つ
以上の実装において、不均等なグリッドが使用され、アイコン（例えば、アプリケーショ
ン又はコンテンツ表現）は、雑誌の印刷レイアウトタイプに類似したグリッドに従って割
り付けられることが可能になる。加えると、グリッドが、表現を互いに重ね合わせ可能に
する機能性を使用し得、その結果、ユーザーインターフェースに対する自然な「ルックア
ンドフィール」及び表示効率性の増大を促進する。
【００１２】
[0016]例えば、グリッド自体は（目に見えないがしかし）ガイドとして使用され、ユー
ザーインターフェースのグリッド上にアイコンが表示される。ユーザーインターフェース
のグリッドに従って表示されるアイコンは、グリッド領域を一杯にし得るが、しかしアイ
コンがグリッドの縁を重ね得るようにも設計され得る。このように、自然なレイアウトが
達成され得る。加えると、ユーザーインターフェースとの対話に対し、増大したリアリズ
ム感覚を与えるための動画も使用され得る。
【００１３】
[0017]以下の論述において、移動通信装置（例えば無線電話機）の様々な実装例を説明
する。加えると、移動通信装置によって使用され得る異なる様々な機能性が、それぞれの
例に関し説明されていて、その例及びその他説明した例において実装され得る。したがっ
て、実装例は、想定される様々な実装のいくつかを示している。更に、電話機能性を提供
するために構成された１つ以上のモジュールを有する移動通信装置を説明しているが、携
帯情報端末、携帯型ミュージックプレーヤー、専用メッセージング装置、携帯ゲーム機、
ネットブックのような様々な別の携帯機器も想定される。
【００１４】
実装例
[0018]図１は、移動通信に関する機器、特性、及びシステムの１つ以上の実施形態によ
る移動通信装置（１０２）の実装例（１００）の例示である。複数の構成を仮定した移動
通信装置（１０２）が作動可能であって、その例は、移動通信装置（１０２）が「クロー
ズ」構成と、図１に例示した移動通信装置（１０２）が「オープン」構成と、を含む。
【００１５】
[0019]移動通信装置（１０２）は更に、スライド（１０８）を介し接続された第１及び
第２の筺体（１０４、１０６）を含むように例示されていて、第１の筐体（１０４）及び
第２の筐体（１０６）は、お互いに関連し移動（例えばスライド）し得る。スライドが説
明されているが、例えば、ピボット、ヒンジのような様々な別の動きをする技法も想定さ
れることが容易に明らかになるに違いない。
【００１６】
[0020]第１の筐体（１０４）は、呼出し元識別（ＩＤ）のような様々なデータ、例示し
た電子メール、マルチメディアメッセージ、インターネット閲覧、ゲームプレー、ミュー
ジック、映像などのアイコンを出力するために使用され得る表示装置（１１０）を含む。
実装において、表示装置（１１０）は、例えば、容量式、表面音響波式、電気抵抗式、光
学式、ひずみゲージ式、分散信号式、音響パルス式、及びその他のタッチ式スクリーン機
能性を介するタッチ式スクリーン機能性を組み込むことによって入力装置としても機能す
るように構成され得る。
【００１７】
[0021]移動通信装置（１０２）への入力を提供するために使用され得るキーボード（１
１２）を含む第２の筺体（１０６）が例示されている。キーボード（１１２）がクワーテ
ィー配列キーボードとして例示されているが、従来の電話キーパッド配列（例えば基本的
な電話上に見出される１２個のキーの数値パッド）、別の言語（例えばキリール文字）用
に構成されたキーボードなどに従ったキーボードなど、様々な別の例も想定されている。
【００１８】
[0022]図１の実装例（１００）に例示したような「オープン」構成において、第１の筐
体（１０４）は、スライド（１０８）を使用し、第２の筐体（１０６）から「離れた」方
向へ移動（例えばスライド）される。この構成例において、キーボード（１１２）の少な
くとも大部分のキー（すなわち物理的なキー）が公開されていて、公開されたキーは、入
力を提供するための利用が可能である。オープン構成は、クローズド構成の移動通信装置
（１０２）のフォームファクターと対照的に、結果として移動通信装置（１０２）の拡張
フォームファクターを生じる。実装において、拡張フォームファクターを定義するために
使用される第１の筺体（１０４）及び第２の筺体（１０６）の面はお互いに平行であるが
、「コームシェル」構成、「ブリック」構成など、別の実装も想定される。
【００１９】
[0023]移動通信装置（１０２）によって使用されるフォームファクターは適切であって
、様々な特性を支援し得る。例えば、クワーティー配列構成を支援しているキーボード（
１１２）を示す。このフォームファクターは、具体的に、既に説明したテキスト生成、ゲ
ームプレー、メールチェック、インターネットサーフィン、ソーシャルネットワークに関
するメッセージステータス提供など、移動通信装置（１０２）の機能性を利用するユーザ
ーにとって便利であり得る。
【００２０】
[0024]通信モジュール（１１４）を含む移動通信装置（１０２）も例示される。通信モ
ジュール（１１４）は、ネットワーク（１１６）を介し通信するための移動通信装置（１
０２）の機能性の代表である。通信モジュール（１１４）は、例えば、電話通話及び受信
機能性を含み得る。通信モジュール（１１４）は、ソーシャルネットワークに関するショ
ートメッセージサービス（ＳＭＳ）テキストメッセージ、マルチメディアメッセージング
サービス（ＭＭＳ）メッセージ、電子メール、ステータスメッセージなどを形成する様々
な別の機能性も含み得る。ユーザーは、例えば、ネットワーク（１１６）を介しソーシャ
ルネットワークウェブサイトに対する通信に関するステータスメッセージを形成し得る。
ソーシャルネットワークウェブサイトは、その後、それぞれの移動通信装置を介し、例え
ば、友人による計算機を介し、ユーザーの「友人」へ受信に関するステータスメッセージ
など、を公開し得る。ブログ作成、インスタントメッセージングなどのような様々な別の
例も想定される。
【００２１】
[0025]ユーザーインターフェースモジュール（１１８）を含む移動通信装置（１０２）
も例示されている。ユーザーインターフェースモジュール（１１８）は、表示装置（１１
０）に表示するためのユーザーインターフェース（１２０）を生成し、管理し、及び／又
は出力する移動通信装置（１０２）の機能性を代表している。ユーザーインターフェース
（１０２）を生成するための異なる様々な技法が使用され得る。
【００２２】
[0026]例えば、ユーザーインターフェースモジュール（１１８）は、複数の位置を含む
ユーザーインターフェース（１２０）を構成し得る。図１に例示した表示特性（１２４）
を有する位置（１２２）のようなこれらの位置それぞれが、それに関し対応する定義され
た表示特性を有し得る。このように、ユーザーインターフェースモジュール（１１８）は
、アイコン又はコンテンツがユーザーインターフェース（１２０）に表示される「ところ
」によって、アイコン又はコンテンツが「どのように」表示されるか決定し得、その更な
る論述が以下の図面と関連し見出され得る。
【００２３】
[0027]図２は、図１のユーザーインターフェース（１２０）を更に詳細に示した複数の
位置（２０２）〜（２１２）を有するシステム例（２００）を示していて、それぞれがア
イコン及び／又はコンテンツに適用される、定義された複数の表示特性を有している。図
２に例示した位置（２０２）〜（２１２）それぞれは固有であって、位置（２０２）〜（
２１２）は、ユーザーインターフェース（１２０）の単一の点を共有していない。
【００２４】
[0028]位置（２０２）〜（２１２）に関する異なる様々な表示特性が、それぞれ定義さ
れ得る。例示した例において、位置（２０２）〜（２１２）それぞれは、回転角度として
例示した定義された回転量、割合として定義されやサイズ、及びｘ／ｙ座標を使用し定義
されたオフセット、を有する。例えば位置（２０２）は、回転角度「＋１５°」、サイズ
「１０５％」、及び座標「＋４ｘ，−３ｙ」を使用し定義したオフセットを含む、定義さ
れた表示特性を有する。しかしながら、位置（２０４）は、回転角度「−２０°」、サイ
ズ「９０％」、及びオフセット「０」を含む定義された表示特性を有する。位置（２０６
）、（２０８）、（２１０）、（２１２）も同様に、それぞれ定義された表示特性を有す
る。これらの表示特性は、その後、ユーザーインターフェースモジュール（１２４）によ
ってアイコン（２１４）又はその他のコンテンツ（２１６）に適用され、それぞれの位置
に表示され得、その更なる論述が図３と関連して見出され得る。
【００２５】
[0029]図２の位置（２０２）〜（２１２）は、一般的なグリッドパターンに従ったよう
に例示されているが、図３に示したように、グリッドは、既に説明したオフセットの使用
を介し、表示上、一様ではない。その趣旨と範囲から逸脱せずに、１つ以上の表示特性に
関連し従来の一様なグリッドを使用するような別の様々な配置も想定される。
【００２６】
[0030]図３は、図２に定義された表示特性を使用したアイコン（３０２）〜（３１２）
が、ユーザーインターフェース（１２０）の位置（２０２）〜（２１２）それぞれに表示
されているシステム（３００）を例示している。この例において、ユーザーインターフェ
ースモジュール（１１８）は、位置（２０２）〜（２１２）においてアイコン（３０２）
〜（３１２）を表示するようにユーザーインターフェース（１２０）を構成する。この例
において、アイコンは連絡先を示していて、その連絡先に関し定義された対応している番
号を使用し通話を開始する選択が可能である。位置（２０２）〜（２１２）それぞれは、
その位置に関し定義された表示特性を有する。したがって、ユーザーインターフェースモ
ジュール（１１８）が、その位置に関し定義された表示特性を、その位置に位置付けられ
たアイコンに適用し得る。
【００２７】
[0031]アイコン（３０２）は、例えばユーザーインターフェース（１２０）の位置（２
０２）に表示される。したがって、ユーザーインターフェースモジュール（１１８）は、
位置（２０２）に関する表示特性を、アイコン（３０２）の少なくとも一部に適用する。
既に図２に例示したように位置（２０２）に関する表示特性は、回転角度「＋１５°」、
サイズ「１０５％」、及び座標「＋４ｘ，−３ｙ」を使用し定義されたオフセットを含む
。同様に、回転角度「−２０°」、サイズ「９０％」、及びオフセット「０」を含む位置
（２０４）の表示特性が、ユーザーインターフェースモジュール（１１８）によってアイ
コン（３０４）に適用される。このプロセスは、位置（２０６）〜（２１２）それぞれに
関し定義された表示特性を使用し、アイコン（３０６）〜（３１２）に対し繰り返され得
る。
【００２８】
[0032]図３に例示したようなユーザーインターフェースモジュール（１２０）は、表示
特性をアイコンの別の部分ではなく、アイコンのその部分に適用し得る。例えば、位置（
２０２）に関する表示特性は、アイコン（３０２）のテキスト記述部分ではなくアイコン
（３０２）の画像部分に適用されるように例示されている。かくして、この例において、
アイコン（３０２）〜（３１２）それぞれのテキスト記述部分は、お互いに対し、及び／
又はユーザーインターフェース（１２０）に関し、一直線に並んだままである。別の様々
な例も想定される。
【００２９】
[0033]表示特性の使用は、従来の固定した構造全域にユーザーインターフェース（１２
０）を設計するとき、設計者に増大した柔軟性を与え得る。例えば、これらの技法は、重
なり（３１４）が２つ以上のアイコン、例えばアイコン（３１０）、（３１２）の間に生
じるように適用され得る。対話からの経過時間数などに基づいて、どのアイコン（３１０
）、（３１２）が「先頭」に表示されるか決定するための競合解決技法が、ユーザーイン
ターフェースモジュール（１１８）によって使用され得る。別の例において、アイコン（
３０２）の少なくとも一部は、ユーザーインターフェース（１２０）において、アイコン
（３０２）の残りが表示されない。更なる例において、表示特性が、静的又は動的な方法
でユーザーインターフェースモジュール（１１８）によって定義されていて、その更なる
論述が以下の図に関連し見出され得る。
【００３０】
[0034]図４は、特定の位置に関し定義された表示特性が少なくともある期間、静的なま
まであって、アイコンの第１の位置から第２の位置への移動が、異なる表示特性の適用を
もたらすシステム例（４００）を示している。例示的な実装において、図１の表示装置（
１１０）のタッチ式スクリーン機能性を介し、ユーザーの手（４０２）から受信されたド
ラッグのジェスチャーに応答し、アイコン（２０６）が、ユーザーインターフェース（１
２０）の位置（２０６）から位置（２０８）へ移動する。
【００３１】
[0035]この例において、本表示特性は、少なくとも期間中、設定されたままである。そ
の結果、位置（２０６）において、アイコン（３０６）は、「＋５°」の回転角度、「１
１０％」のサイズ、及び「−３ｘ，−５ｙ」のオフセットを用いてユーザーインターフェ
ース（１２０）に表示される。しかしながら、位置（２０８）において、アイコン（３０
６）は、回転角度「＋２０°」、サイズ「７０％」、及びオフセット「＋７ｘ，−３ｙ」
を用いてユーザーインターフェース（１２０）に表示される。実装において、位置（２０
６）と（２０８）と間の推移を提供するための動画が使用される。
【００３２】
[0036]例えば、アイコン（３０６）がユーザーインターフェース（１２０）上にドラッ
グされたとき、アイコン（３０６）は、初期位置、例えば位置（２０６）に関する表示特
性を保持し得る。（例えば、ドラッグジェスチャーが解放され）端点に達したとき、終了
位置、例えば位置（２０８）に関する表示特性を適用するための「移って定まる（ｓｈｉ
ｆｔ  ａｎｄ  ｓｅｔｔｌｅ）の動画が利用される。動画は、例えば、位置（２０６）の
表示特性から位置（２０８）の表示特性へ遷移するための回転（４０４）、リサイズ（４
０６）、及びシフト（４０８）を適用し得る。
【００３３】
[0037]示した例は静的な表示特性を使用し記載されているが、表示特性は、ユーザーイ
ンターフェースモジュール（１１８）によって動的にも決定され得る。例えば、新しい表
示特性が動的に決定され得、アイコンそれぞれがユーザーインターフェース（１２０）内
に位置付けられるか又は位置変更される。別の例において、表示特性は、ユーザーインタ
ーフェースの特定の位置にアイコン作成時、決定され得、アイコンがユーザーインターフ
ェース（１２０）に表示される限り、そのまま保持される。別の様々な例も想定され、更
なる論述が以下の手順と関連し見出され得る。
【００３４】
手順例
[0038]以下の論述は、既に説明したシステム及び機器を利用し実装され得るユーザーイ
ンターフェース技術を説明している。手順それぞれの態様は、ハードウェア、ファームウ
ェア、又はソフトウェア、又はその組み合わせにおいて実装され得る。手順は１つ以上の
機器によって実行される動作を指定する１セットのブロックとして示されていて、それぞ
れのブロックによる動作を実行するための、示された順番に必ずしも制限されているわけ
ではない。以下の論述の一部において、図１の環境（１００）及び図１〜図４の実装（２
００）〜（４００）への参照が、それぞれ実行される。
【００３５】
[0039]図５は、ユーザーインターフェースの特定の位置に関し、定義された表示特性が
、その位置に表示されるアイコンに適用される実装例の手順（５００）を示している。ア
イコンがユーザーインターフェースの特定の位置に表示される決定が、移動通信装置によ
って実行される（ブロック５０２）。例えば、既に図４と関連し説明したように、決定は
、アイコンの位置変更に応答し実行される。別の例において、起動、ページリフレッシュ
、ユーザーインターフェース（１２０）を介した階層的なページ（例えば、フォルダー及
びサブフォルダー）を通したナビゲーションのように、アイコンがユーザーインターフェ
ース（１２０）に最初に表示されたとき、決定が実行される。
【００３６】
[0040]移動通信装置は、特定の位置に関し定義された表示特性を適用し、アイコンの表
示が表示特性によって変更される（ブロック５０４）。例えば、表示特性は、回転、リサ
イズなどのような適用される効果を指定し得、アイコンの表示は、表示特性の効果に従っ
て変更される
[0041]移動通信装置の表示装置において、適用された表示特性を有するアイコンが、そ
の後、ユーザーインターフェースの特定の位置に表示される（ブロック５０６）例えば、
アイコン（３０２）は、移動通信装置（１０２）の表示装置（１１０）において、ユーザ
ーインターフェース（１２０）の位置（２０２）に表示され得る。
【００３７】
[0042]図６は、それぞれのアイコンの少なくとも一部の回転量を定義している表示特性
がユーザーインターフェースのそれぞれの位置に関し定義された回転量に基づいて適用さ
れ、そこにおいて、それぞれのアイコンが表示される実装例の手順（６００）を示してい
る。第１及び第２のアイコンがユーザーインターフェースの第１及び第２の位置に表示さ
れる決定が、移動通信装置によって実行される（ブロック６０２）。例えば、ユーザーイ
ンターフェースモジュール（１１８）は、例えばフォルダーからサブフォルダーへ、及び
また同様に逆も表示するためのアイコンを含むユーザーインターフェース（１２０）の１
つの階層レベルから別の階層レベルへ実行されるナビゲーションを検出し得る。
【００３８】
[0043]第１及び第２の位置に関し定義された第１及び第２の回転角度それぞれの決定が
、移動通信装置によって実行される（ブロック６０４）。例えば、第１及び第２のアイコ
ンが第１及び第２の位置に表示されることが決定される前に、（例えば、ファイル、テー
ブルなどから）定義された値を検索するためのルックアップを介し決定が、実行され得る
。別の例において、決定は、第１及び第２のアイコンが第１及び第２の位置に表示される
決定に応答し動的であり得る。別の様々な例も想定される。
【００３９】
[0044]移動通信装置の表示装置において、第１のアイコンの少なくとも一部をユーザー
インターフェースの第１の位置に第１の回転角度で表示する（ブロック６０６）。更に、
移動通信装置の表示装置において、第２のアイコンの少なくとも一部をユーザーインター
フェースの第２の位置に第２の回転角度で表示し、第２の回転角度が第１の回転角度と異
なる（ブロック６０８）。かくして、この例において、アイコンが、異なる回転角度でユ
ーザーインターフェース（１２０）に同時に表示され得る。リサイズ、オフセットなどの
様々な別の例も想定される。
【００４０】
機器の例
[0045]図７は、移動通信に関する装置、特性、及びシステムの実施形態を実装する携帯
機器の任意のタイプの様々な実施形態で実装され得る機器の例（７００）に関する様々な
コンポーネントを例示している。例えば、それぞれの図１〜６を参照し説明されている任
意の移動通信装置（７２）のような機器（７００）が実装され得る。コンテンツサービス
のようなネットワークベースサービスにアクセスするための機器（７００）も実装され得
る。
【００４１】
[0046]機器（７００）は、インターネットプロトコル（ＩＰ）入力及び図１のキーボー
ド（１１２）のような別の入力装置を含み得る入力（単数又は複数）（７０２）を含み得
る。機器（７００）は更に、１つ以上の任意の無線インターフェース、任意のタイプのネ
ットワークインターフェースとして、別の任意のタイプの通信インターフェースとして実
装され得る通信インターフェース（単数又は複数）（７０４）を含む。ネットワークイン
ターフェースが、機器（７００）と通信ネットワークとの間の接続を提供し、それによっ
て別の電子機器及び計算装置が機器（７００）とデータを通信し得る。無線インターフェ
ースは、機器（７００）が、無線通信に関する携帯機器として作動可能にする。
【００４２】
[0047]機器（７００）は、機器（７００）の動作を制御し、別の電子機器と通信するた
めの様々な計算機実行可能命令を処理する１つ以上のプロセッサー（７０６）（例えば、
任意のマイクロプロセッサー、コントローラーなど）も含む。（例えば、１つ以上の任意
の読み出し専用メモリー（ＲＯＭ）、フラッシュメモリー、ＥＰＲＯＭ、ＥＥＰＲＯＭな
ど）ランダムアクセスメモリー（ＲＡＭ）及び不揮発性メモリーを含む１つ以上のメモリ
ーコンポーネントの例のような計算機可読媒体（７０８）を有する機器（７００）が実装
され得る。
【００４３】
[0048]計算機可読媒体（７０８）は、コンテンツ及びデータ（７１０）並びに機器（７
００）の動作の態様に関連するデバイスアプリケーション及び別の任意のタイプに関する
情報及び／又はデータをストアするデータストレージを提供する。オペレーティングシス
テム（７１２）は、例えば、計算機可読媒体（７０８）を用いて計算機アプリケーション
として維持され得、プロセッサー（単数又は複数）（７０６）上で実行され得る。機器ア
プリケーションは、（電話機能性を提供するために使用され得る）通信マネージャーモジ
ュール（７１４）及びメディアマネージャ（７１６）も含み得る。
【００４４】
[0049]音声及び／又は映像データを音声レンダリング及び／又は表示システム（７２０
）に提供する機器（７００）は、音声及び／又は映像出力モジュール（７１８）も含む。
音声レンダリング及び／又は表示システム（７２０）は、機器の例（７００）の統合コン
ポーネント（単数又は複数）として実装され得、音声、映像、及び画像データを処理し、
表示し、さもなければレンダリングする任意のコンポーネントを含み得る。振動及びタッ
チなどのユーザーの触覚的なフィードバックを提供するための機器（７００）も実装され
得る。
【００４５】
[0050]キーボードモジュール（７２２）を含むような通信マネージャーモジュール（７
１４）が更に、例示される。キーボードモジュール（７２２）は、既に図１〜６に関連し
説明した１つ以上の技法を使用した機能性を代表している。
【００４６】
[0051]一般に、ブロックは、示された機能性を提供するために構成されたモジュールを
代表している。更に、本明細書に記載されている任意の機能は、これらの実装に関するソ
フトウェア、ファームウェア（例えば固定論理回路）、手動処理、又は組み合わせを使用
し実装され得る。本明細書に使用されている用語「モジュール」、「機能性」、及び「ロ
ジック」は一般に、ソフトウェア、ファームウェア、ハードウェア、又はそれらの組み合
わせを示している。ソフトウェア実行の場合、モジュール、機能性、又はロジックは、プ
ロセッサー（例えばＣＰＵ又は複数のＣＰＵ）上で実行されるとき、指定されたタスクを
実行するプログラムコードを示している。プログラムコードは、１つ以上の計算機可読記
憶装置にストアされ得る。前述した技法に関する機能はプラットフォームから独立してい
て、本技法が、様々なプロセッサーを有する様々な商用計算プラットフォーム上で実装さ
れ得ることを意味している。
【００４７】
結論
[0052]本発明は構造上の特色、及び／又は方法論の動作に特定の言語で説明されている
が、添付の請求項に定義された発明が、必ずしも説明した特定の特徴又は動作に限定され
るわけでないことが理解されよう。もっと具体的に言えば、特定の機能及び動作は、請求
範囲に記載された発明を実装する形成例として開示されている。
【符号の説明】
【００４８】
１００  移動通信装置の実装例
１０２  移動通信装置
１０４  第１の筺体
１０６  第２の筺体
１０８  スライド
１１０  表示装置
１１２  キーボード
１１４  通信モジュール
１１６  ネットワーク
１１８  ユーザーインターフェースモジュール
１２０  ユーザーインターフェース
１２２  位置
１２４  表示特性
２００  システム例
２０２  位置
２０４  位置
２０６  位置
２０８  位置
２１０  位置
２１２  位置
２１４  アイコン
２１６  コンテンツ
３００  システム例
３０２  アイコン
３０４  アイコン
３０６  アイコン
３０８  アイコン
３１０  アイコン
３１２  アイコン
３１４  重なり
４００  システム例
４０２  ユーザーの手
４０４  回転
４０６  リサイズ
７００  機器の例
７０２  入力（単数又は複数）
７０４  通信インターフェース（単数又は複数）
７０６  プロセッサー（単数又は複数）
７０８  計算機可読媒体
７１０  コンテンツ及びデータ
７１２  オペレーティングシステム
７１４  通信マネージャーモジュール
７１６  メディアマネージャーモジュール
７１８  音声及び／又は映像出力モジュール
７２０  音声レンダリング及び／又は表示システム
【図１】
2015038762.tif 000003
【図２】
2015038762.tif 000004
【図３】
2015038762.tif 000005
【図４】
2015038762.tif 000006
【図５】
2015038762.tif 000007
【図６】
2015038762.tif 000008
【図７】
2015038762.tif 000009